(57)【要約】  複数のユニットからなる空調システムで使用する空調フィルタ清掃装置１が提供される。フィルタ清掃装置は、エアフィルタ３から埃を除去するように構成されたブラシ２を備える。ブラシ２は、エアフィルタ３に移動接触し、かつモータにより駆動される。導管５は、導管５を通してブラシ２に吸引力をもたらす真空源６とブラシ２との間に接続される。導管５は、電磁弁または遠隔制御弁によって遠隔で開閉される。システム制御装置は、複数のフィルタ清掃装置１であって、各々が管５のネットワークに接続され、各フィルタ清掃装置１はフィルタ清掃装置１が接続される管を開放する関連する弁を有する、フィルタ清掃装置１と、フィルタから遠隔の埃捕集機へと埃が取り除かれるように、フィルタ清掃装置１を選択的に作動させるとともに関連する弁を作動させる制御システムとを監視する。任意選択的に、ＨＥＰＡフィルタが遠隔の捕集位置に設けられる。
2017524119.tif 000002
【特許請求の範囲】
【請求項１】
空調フィルタ清掃装置であって、ブラシと、前記ブラシに接続されるとともに、前記エアフィルタから埃および屑を取り除くために前記エアフィルタに対して前記ブラシを移動させる駆動手段とを備え、導管が前記ブラシにより取り除かれた埃を捕集し、かつ遠隔の真空源が前記導管を通して前記ブラシに吸引力をもたらし、前記導管が、前記ブラシから埃の捕集される遠隔位置までを通る埃のための経路を提供することと、少なくとも１つの遠隔操作可能な弁であって、選択されたフィルタ清掃装置から埃の捕集される前記遠隔位置に至る前記導管内の通路を開閉するように選択的に切り替え可能である前記弁が、埃の捕集される前記位置と前記ブラシとの間に設けられることとを特徴とする、空調フィルタ清掃装置。
【請求項２】
複数のフィルタ清掃装置が、ブラシから前記遠隔位置までを通るネットワークの少なくとも一部分を共有し、複数の遠隔操作可能な弁が、選択されたフィルタ清掃装置から前記遠隔位置に至る特定の経路を開放するように選択的に切り替え可能であり、かつ制御手段が、弁を選択的に開閉するとともにそれぞれの駆動手段を作動させるように、導管が前記ネットワークとして設けられる、請求項１に記載の空調フィルタ清掃装置。
【請求項３】
クランプ手段が、前記エアフィルタ清掃装置をフィルタハウジングに接続するように構成される、請求項１または２に記載の空調フィルタ清掃装置。
【請求項４】
クランプ手段が、フィルタハウジングに接続されたときにエアフィルタに延在して重なる前面フェイシアを有する、請求項３に記載の空調フィルタ清掃装置。
【請求項５】
前記フェイシアが前記エアフィルタ用の囲み枠を形成する、請求項４に記載の空調フィルタ清掃装置。
【請求項６】
前記駆動手段が電気モータである、請求項１〜５のいずれか一項に記載の空調フィルタ清掃装置。
【請求項７】
前記ブラシが、前記エアフィルタの長手方向軸線に実質的に直交する方向に前記エアフィルタを横切って通過するように大きさが決定されかつ配設される、請求項１〜６のいずれか一項に記載の空調フィルタ清掃装置。
【請求項８】
フィルタ清掃装置を導管に接続する、前記導管が、弾性的に伸長可能である、請求項１〜７のいずれか一項に記載の空調フィルタ清掃装置。
【請求項９】
前記導管が前記ブラシの移動方向に位置合わせされ、前記ブラシが前記エアフィルタに対して移動するときに前記導管が伸長および収縮する、請求項８に記載の空調フィルタ清掃装置。
【請求項１０】
前記導管が、使用時に前記フィルタの１つの縁部にまたは１つの縁部側に位置決めされる、請求項９に記載の空調フィルタ清掃装置。
【請求項１１】
建物内、車両内、船舶もしくは大型船内、または航空機内に位置する、請求項１〜１０のいずれか一項に記載の空調フィルタ清掃装置。
【請求項１２】
前記フィルタを振動させるようにかつ前記フィルタから埃を除去するのを補助するように構成された振動手段を含む、請求項１〜１１のいずれか一項に記載の空調フィルタ清掃装置。
【請求項１３】
前記振動手段が、前記フィルタを振動させるために回転するように構成されたカムを備える、請求項１２に記載の空調フィルタ清掃装置。
【請求項１４】
存在する埃の量および／または清掃前後のフィルタの状態を検知するためのセンサを含む、請求項１〜１３のいずれか一項に記載の空調フィルタ清掃装置。
【請求項１５】
清掃の間、空調装置送風口を部屋から遮断する可動シャッターを含む、請求項１〜１４のいずれか一項に記載の空調フィルタ清掃装置。
【請求項１６】
ポートが、清掃を実施できるようにするために清掃用アタッチメントまたは真空清掃装置ヘッドの端部における専用のプラグまたはホースの挿入を許容するために前記導管の分岐部に設けられる、請求項１〜１５のいずれか一項に記載の空調フィルタ清掃装置。
【請求項１７】
導管が前記エアフィルタ清掃装置とソケットとの間に設置されるか、または出口ポートが、清掃用アタッチメントまたは真空清掃装置ヘッドの端部におけるプラグまたはホースを受け入れるために壁に設けられる、請求項１〜１６のいずれか一項に記載の空調フィルタ清掃装置。
【請求項１８】
前記遠隔位置において埃を捕集するための捕集ユニットを含み、前記捕集ユニットがＨＥＰＡフィルタを有する、請求項１〜１７のいずれか一項に記載の空調フィルタ清掃装置。
【請求項１９】
前記フィルタから埃および屑を除去するのを補助するための空気噴射手段を含む、請求項１〜１８のいずれか一項に記載の空調フィルタ清掃装置。
【請求項２０】
請求項１〜１９のいずれか一項に記載の複数の空調フィルタ清掃装置であって、各々が管のネットワークに接続され、各フィルタ清掃装置は前記フィルタ清掃装置が接続される管を開放する関連する弁を有する、前記空調フィルタ清掃装置と、前記フィルタから遠隔の埃捕集機へと埃が取り除かれるように、フィルタ清掃装置を選択的に作動させるとともに前記関連する弁を作動させる制御システムとを備える、空調システム。
【請求項２１】
中央真空システムが、前記制御システムによりフィルタ清掃装置へと選択的に誘導される吸引力をもたらすように構成される、請求項２０に記載の空調システム。
【請求項２２】
弁は、電気的に制御されたサーボ装置または電磁弁によりスイッチが選択的にオンとオフに切り替えられる、請求項２０または２１に記載の空調システム。
【請求項２３】
図を参照して本明細書に実質的に説明したような空調フィルタ清掃装置。
【発明の詳細な説明】
【技術分野】
【０００１】
本発明は、空調フィルタ清掃装置およびフィルタ清掃システムに関する。
【背景技術】
【０００２】
空調システムは、多くの建物内で、特にオフィス内でよく見られる。これらの空調システムは一般に、吊り天井よりも上にまたはふかし壁の後ろに位置する配管を備える。配管は、オフィス、廊下または会議室における出口格子または出口端につながっている。中央供給源から配管の周囲に空気が圧送される。空気は、周囲の外部／内部環境および建物の占有者の要求に応じて、加熱または冷却される。
【０００３】
建物に冷気を供給する目的で、空気の流れから熱を取り出すために空気の流れを蒸発器コイル上に通すことにより流れが冷却される。各空調システムには、蒸発器コイルの上流側に位置する、少なくとも１つのフィルタ、一般には数多くフィルタが装着される。これらフィルタは、空調システムを清潔に保つために、かつ空調システムから粒子を取り除くことにより空気を清浄化するために、空気流れから埃および繊維の粒子を取り除く。
【０００４】
オフィスビル内に装着されたものなどの空調ユニットは、それら空調ユニットのフィルタの定期的な清掃を必要としており、定期的に清掃しなければ、フィルタが目詰まりする。目詰まりがある場合、埃の堆積により生じる、空気の移動に対する抵抗が増大し、この抵抗により、ファンおよびモータに更なる負荷がかかる。その結果、効率が低下し、電力がより多く消費される。これにより、資源が浪費され、コストが高くなる。
【０００５】
いくつかのタイプの空調システムを清掃するためには、空調システム、特にフィルタにアクセスするために、多くの場合、専門の保守技術者が存在する必要がある。清掃作業員は、配管内にも位置し得る、フィルタへのアクセスを必要とするので、多くの場合、清掃作業員がオフィスおよび部屋に入る必要がある。この作業は、勤務時間中に実施される場合、オフィス内における占有者の日常業務を中断させる。
【０００６】
清掃が通常勤務時間外に行われるのであれば、保守作業員により多くの賃金を支払う必要がある場合がある。また、一部のオフィスでは、保守員を監督することが必要になるとともに、通常勤務時間外のアクセスを監視するために追加の警備員が必要になる場合もある。
【０００７】
加えて、多くのタイプの定期保守と同様に、複数のフィルタにアクセスし、これらを清掃し、時には交換し、かつこのような定期保守作業を繰り返し実施する必要がある。その結果、複数の空間において中断が生じるだけでなく、そのような作業は、労働集約的であり、時間がかかり、かつ暖房技術者の専門家チームを必要とする。
【０００８】
本発明は、遠隔操作可能である自動清掃システムを提供することにより前述の問題を克服しようとするものである。
【０００９】
本発明の更なる目的は、遠隔操作され得る遠隔操作式の埃／粒子回収／捕集システムを提供することである。
【００１０】
日本特許出願である特開２０１１１５６３１０号公報（三菱電機ビルテクノサービス株式会社）では、真空吸引装置に接続されるブラシヘッドであって、フィルタにおける折り目のピッチの複数倍以上の幅を持つ吸引開口を有するブラシヘッドを有する、エアフィルタ用真空清掃ブラシが説明され示されている。吸引開口に直交する方向に移動することが可能である複数のブラシが吸引開口の周囲に配置される。
【００１１】
韓国特許出願である韓国公開特許第１００９１２６５８号公報（Ｔａｅｈａ  Ｅｎｇｉｎｅｅｒｉｎｇ  Ａｒｃｈｉｔｅｃｔｓ  Ｃｏ  Ｌｔｄ）では、１対の第１のガイドロッドと、汚染物質吸引ノズルと、第１の動力伝達部材と、上昇位置規制センサと、スイッチ信号入力ユニットとを備える、乾式フィルタ清掃機能を有する空調ユニットが説明されている。第１のガイドロッドは、エアフィルタの前部両側に取り付けられる。汚染物質吸引ノズルは、第１のガイドロッド間に設置される。
【００１２】
英国特許出願である英国特許出願公開第２４５７１１６号明細書（ＬＧ  Ｅｌｅｃｔｒｏｎｉｃｓ  Ｉｎｃ）では、空気が吸引されてフィルタを通過する空気吸引孔を含む、天井に位置する空調システムが説明されている。ブラシを備えるブラシ組立体は、フィルタに接触して、重量下でフィルタから落下した異物および埃を捕集し貯留する。複数のローラがブラシ組立体を移動させる。
【００１３】
日本国特許出願である特開２００７０３２２号公報（松下電器産業株式会社）では、出力部がノズルに小さな吸引孔を有する駆動可能なベルトを含む除埃装置が開示されている。この除埃装置は、ブラシのすぐ近傍の吸引領域への吸引を制限する。エアフィルタは、吸引ノズルと共にエアフィルタに掃き取り動作を実施することにより閉鎖される。
【００１４】
日本国特許出願である特開２００８０１１０号公報（東芝キヤリア株式会社）では、ブラシを保持する埃溜めであって、空調フィルタに付着した埃を除去するために使用される埃溜めを備えた清掃ユニットが説明されている。埃排出ユニットは、換気ファンと、清掃ユニットにより貯留された埃を吸引する排気管とを有する。清掃ユニットに隣接して接続することにより、埃排出ユニットを通して屋外に埃を排出できるようにする。
【００１５】
韓国特許出願である韓国公開特許第２００９０２１７号公報（Ｇｏｎｇｇａｎ  Ｔｅｃｈ  Ｃｏｍｐａｎｙ  Ｌｉｍｉｔｅｄ）では、空調ユニット内に収納される真空清掃装置を有する機器が説明されている。機器はファンを備えている。ファンにはモータが接続される。グリルと、空気中の埃および屑を濾過するためにグリル内に取り付けられたフィルタとに及ぶ吸引力により空気が引き込まれる。
【００１６】
異物および埃を取り除いてブラシに接続された連結ホース内に送る目的でフィルタを横切るようにブラシを移動させ動かすために、上下動手段がブラシに接続される。
【００１７】
国際特許出願である国際公開第２００４／０７９２７１号パンフレット（松下電器産業株式会社）では、熱交換器と、熱交換器を横切るように空気を吹き出すファンと、熱交換器の上流側の本体に設けられるエアフィルタとを有する空調システムが説明されている。ノズルは、エアフィルタに対向する吸引ポートを有するとともに、エアフィルタに付着した埃および塵を取り出す。清掃ヘッドは、吸引ノズルに摺動自在に装着されるとともに、吸引ノズルから塵を排出する。
【００１８】
欧州特許出願である欧州特許出願公開第Ａ−１９５９２１１号明細書（ダイキン工業株式会社）では、底面に吸引ポートが形成されたケーシングを備える、一体の清掃装置を備えた天井設置型の空調機器が説明されている。吸引ポートにフィルタが設けられる。清掃機構は、フィルタにより捕集された埃をフィルタから取り除き、また、清掃機構により取り除かれた埃を捕集するために、ダストボックスがケーシングの底部に設けられる。ダストボックスには、真空清掃装置のノズルを挿入することができる、ノズル挿入孔が下向きに形成される。
【発明の概要】
【課題を解決するための手段】
【００１９】
対照的に、本発明は、空調ユニットのフィルタを清掃するための簡単で信頼性の高い機器と、自動的に遠隔で操作できる空調システムの複数のフィルタとを提供する。
【００２０】
本発明の第１の態様によれば、空調フィルタ清掃装置であって、ブラシと、ブラシに接続されるとともに、エアフィルタから埃および屑を取り除くためにエアフィルタに対してブラシを移動させる駆動手段とを備え、導管がブラシにより取り除かれた埃を捕集し、かつ遠隔の真空源が導管を通してブラシに吸引力をもたらし、導管が、ブラシから埃の捕集される遠隔位置までを通る埃のための経路を提供することと、少なくとも１つの遠隔操作可能な弁であって、選択されたフィルタ清掃装置から埃の捕集される遠隔位置に至る導管内の通路を開閉するように選択的に切り替え可能である弁が、埃の捕集される位置とブラシとの間に設けられることとを特徴とする、空調フィルタ清掃装置が提供される。
【００２１】
本発明は、作業員または自動制御装置が、特定の清掃装置のスイッチをオンに切り替え、遠隔のポンプまたはファンから選択された清掃装置に至る導管のネットワークにおける１つまたは複数の弁を開放し、選択された空調フィルタの清掃を開始することができるようにし、その結果、ゴミおよび埃が干渉またはアクセスなしに取り除かれる。フィルタから除去される屑および埃は、導管のネットワークを介して遠隔の捕集手段またはタンクへと吸引除去される。
【００２２】
好ましくは、各空調フィルタ清掃装置には真空ヘッドが設けられ、真空ヘッドは、１つまたは複数の空調フィルタの清掃動作中に圧力が維持されることを可能にするために、仕切弁、シャトル弁または電磁弁を有する。
【００２３】
存在する埃および屑の量または清掃前後のフィルタの状態をモニターするために、真空ヘッドにセンサを設けてもよい。センサは、光源と、フィルタ上に存在する埃の量を示す信号を送信するかまたはフィルタ上に存在する埃または屑の量が所定の閾値を超えたときに信号を送信するように配設されたフォトセルとを含み得、それにより、フィルタの清掃を自動的に開始するかまたは特定のフィルタを清掃する必要性を作業員に気付かせる。
【００２４】
遠隔位置は、故障した場合、またはポンプ、送風機もしくは排気装置のうちの１つを修理する必要がある場合に備えて、ポンプ、ファン、送風機または排気装置などの、１つまたは複数の真空源を有し得る。
【００２５】
このシステムは、選択的に切り替え可能な空気管および導管のネットワークによって単一の真空源が複数のフィルタを操作および清掃することを可能にするために拡張可能であることが認識される。システムは、検知された圧力低下および／または設定された時間間隔および／または検知されたパラメータおよび／または独立した制御などの、１つまたは複数の異なるファクタに基づいて、複数のフィルタ清掃装置の独立した制御を可能にする。
【００２６】
ブラシは、ワイパおよび／またはスクレーパおよび／またはゴム部材または埃および屑の除去を補助するための他の形態の剛毛を含み得る変形可能な手段を有し得る。任意選択的に、可動シャッターが、清掃の間、空調装置送風口を閉鎖する。清掃前に閉鎖しかつ清掃終了後に開放するように、シャッターを遠隔操作してもよい。
【００２７】
好ましくは、変形可能な手段は、屑または埃を動かして取り除く弾性手段を有し、ここで、導管は、実質的に全ての除去された屑および埃を受け入れるように真空ヘッドにまたは真空ヘッドに隣接して構成される。
【００２８】
導管を通して空気を引き込む部分真空とブラシとの組み合わせはフィルタから除去される屑がフィルタからすぐに取り除かれることを確実にし、それにより、埃が拡散するのを防止する。
【００２９】
エアフィルタ清掃装置は更に、エアフィルタ清掃装置をフィルタハウジングに接続するように構成されたクランプ手段を備え得る。この手段は、エアフィルタ清掃装置を、建物内に既に設置された空調ユニットなどの、既に設置された空調ユニットのエアフィルタに後付けできることを確実にするのに役立つ。
【００３０】
クランプ手段は、フィルタハウジングに接続されたときにエアフィルタに延在して重なる前面フェイシアを有し得る。このフェイシアは、エアフィルタ清掃装置を既に設置されたエアフィルタに後付けできることを確実にするのに役立つ。フェイシアは、エアフィルタ用の囲み枠を形成し得る。
【００３１】
駆動手段は、理想的には電気モータを備え、ブラシが、エアフィルタを横切って通過するように大きさが決定されかつ位置合わせされ、ならびにフィルタを横切る軸線に実質的に直交する方向にフィルタに沿ってモータにより駆動される。これは、清掃用の簡単で効果的な構成を提供する。
【００３２】
空調清掃装置を相互接続する導管は、弾性的に伸長可能であってもよく、またはその導管を剛性管で形成してもよい。管の直径は、ポンプまたはファン近傍の、通常は０．２５ｍよりも大きい、比較的大きな直径から、空調フィルタ清掃装置近傍の、通常は０．１ｍ未満の、比較的小さな直径まで様々であり得る。一実施形態において、空調フィルタ清掃装置における配管は可撓性であり、このことは、導管がフィルタを横切ってブラシと共に移動するのを確実にするのに役立つ。代替的な実施形態において、導管は、導管がブラシに接続する場合に伸縮式のものであってもよい。
【００３３】
理想的には、導管は、ブラシが移動するときに導管が伸長および収縮するように、ブラシの移動方向に位置合わせされる。このことは、導管がフィルタを横切ってブラシと共に移動することを確実にするのに役立ち、かつ使用時に導管がフィルタを遮るのを回避する。
【００３４】
導管は、理想的には、使用時にフィルタの１つの縁部にまたは１つの縁部側に位置決めされる。このことは、導管がフィルタを横切ってブラシと共に移動することを確実にするのに役立ち、かつ使用時に導管がフィルタを遮るのを回避する。
【００３５】
ブラシから離れた所にある、導管の外端部を、吸引ホースまたは同様のものに接続されるように構成してもよい。このことは、エアフィルタ清掃装置を建物内におけるエアフィルタに後付けできることを確実にするのに役立つ。
【００３６】
一実施形態では、更なる局所吸引をもたらすために、例えば、清掃作業員が床および除埃用の特注の清掃機器を使用するために、側枝部が主要なネットワークから延在できるようにするＴ字形部品、「湾曲したＴ字管（ｓｗｅｐｔ  Ｔ）」または分岐合流接続部が設けられる。
【００３７】
ブラシは更に、ブラシに隣接して位置する真空体を備え得る。この真空体は、ブラシを所要の向きおよび位置に保持するのに、かつブラシによりフィルタから取り除かれた埃を収容するのに役立つ。
【００３８】
本発明の第２の態様によれば、空調空気を建物内に搬送するために建物内に位置するように構成された少なくとも１つの管と、管に結合され、管を横切るように位置合わせされ、かつ管に沿って通過する空気を濾過するように構成された少なくとも１つのフィルタと、エアフィルタに結合された、本明細書で説明する少なくとも１つのエアフィルタ清掃装置とを備える空調システムが提供される。この空調システムは、使用時にシステムを建物に装着することを可能にし、かつフィルタを自動的に遠隔で清掃することを可能にする。
【００３９】
空調システムは、複数の管および／または関連するフィルタおよび／またはシステムの一部として配設されたフィルタ清掃装置を備え得る。フィルタ清掃装置は、遠隔の埃捕集機にホースを介して流体接続される。システムは更に、電気的に制御されたサーボ装置または電磁弁を使用して弁を作動させることによりスイッチが選択的にオンに切り替えられる、個々のフィルタに対する吸引力をもたらすように構成された中央真空システムを備える。
【００４０】
複数の電磁弁は、ホースのネットワークの至る所に位置し、かつフィルタ清掃装置の１つまたは複数に吸引力を誘導するためにホース内の通路を開閉するように選択的に作動させる。このことは、個々のフィルタを清掃するために必要な力で真空を誘導するのに役立つように、エアフィルタ清掃装置を選択的にまたは順次作動させることを可能にする。
【００４１】
空調システムは更に、中央捕集ユニットを備え得る。この中央捕集ユニットは、埃が中央に捕集され簡単に廃棄されることを可能にする。
【００４２】
有利には、空調フィルタ清掃装置は、清掃システムを作動させたときに埃が部屋またはオフィス内に逆流するのを防止するために、フィルタを密閉するように構成されたフィルタ閉鎖手段を含む。任意選択的に、振動手段は、フィルタを振動させるためにフィルタに接続するように構成され、その結果、除去される埃および粒子が、フィルタから遠隔位置までを通る埃のための少なくとも１つの経路を提供するために真空源に接続された導管を介して除去され回収される。
【００４３】
フィルタの裏面に向けて誘導される、例えば、空気の細い「ペンシル」または空気の「ブレード」の形の、空気の圧力源を、埃を除去するために使用してもよい。この圧力源は、振動手段または空気の加圧パルスが埃および屑を除去するのに役立つので、エアフィルタを清掃するための簡単で信頼性が高くかつ効果的な手段を提供する。
【００４４】
空調フィルタ清掃装置は更に、エアフィルタ清掃装置をフィルタハウジングに接続するように構成されたクランプ手段を備え得る。この手段は、エアフィルタ清掃装置を建物内におけるエアフィルタに後付けできることを確実にするのに役立つ。
【００４５】
クランプ手段は、フィルタハウジングに接続されたときにエアフィルタに延在して重なる前面フェイシアであってもよい。このフェイシアは、エアフィルタ清掃装置を建物内におけるエアフィルタに後付けできることを確実にするのに役立つ。
【００４６】
振動手段は、フィルタを振動させるために回転するように構成されたカムまたはフラップを備え得る。これは、屑および埃を除去するのにかつ屑および埃を捕集するのを補助するのに役立つように、振動を引き起こすための信頼性が高く効果的な機構を提供する。
【００４７】
フィルタ閉鎖手段は、少なくとも１つの可動シャッターであってもよい。これは、信頼性の高い効果的な機構を提供する。
【００４８】
ここで、本発明の好ましい実施形態について、単に例として図を参照しながら説明する。
【図面の簡単な説明】
【００４９】
【図１】図１は、空調フィルタ清掃装置の実施形態の前面から一方側にかけての斜視図を示す。
【図２】図２は、ほぼ同じ角度からの図１の空調フィルタ清掃装置の分解図を示す。
【図３ａ】図３ａは、フィルタを清掃するためにフィルタを横切って移動する動作中の、エアフィルタハウジングに接続された図１および図２の空調フィルタ清掃装置を示す。
【図３ｂ】図３ｂは、フィルタを清掃するためにフィルタを横切って移動する動作中の、エアフィルタハウジングに接続された図１および図２の空調フィルタ清掃装置を示す。
【図３ｃ】図３ｃは、フィルタを清掃するためにフィルタを横切って移動する動作中の、エアフィルタハウジングに接続された図１および図２の空調フィルタ清掃装置を示す。
【図４ａ】図４ａは、エアフィルタ清掃装置が装着される空調ユニットを任意選択的に取り囲むハウジングおよび管の上方から一方側にかけての斜視図を示す。
【図４ｂ】図４ｂは、ハウジングの図４ａと同じ角度からの分解図を示す。
【図５】図５は、空調ユニットの前面に位置する空調フィルタ清掃装置の代替的な実施形態の全体概略図を示す。
【図６ａ】図６ａは、空気管によって相互に接続された空調フィルタ清掃ユニットのネットワークの概略図である。
【図６ｂ】図６ｂは、空調ユニットが位置し隠れた空気管と相互に接続される場所を示す建物の１階の平面図であり、かつ図６ａに対応する。
【図７ａ】図７ａは、相互に接続された清掃ユニットの建物の１階の平面図を示し、かつ真空清掃装置用の別個の導管も示す。
【図７ｂ】図７ｂは、図７ａに対応する建物の２階の全体概略図である。
【図８】図８は、空調ユニット、空調フィルタ清掃装置および空調配管が設置される建物の正面図である。
【図９ａ】図９ａは、伸縮導管を有する収縮可能な管を備えた空調フィルタ清掃装置の代替的な実施形態の全体概略図を示す。
【図９ｂ】図９ｂは、清掃要素に対して回転するように配設される円形前面パネルフィルタを有する空調フィルタ清掃装置の代替的な実施形態を示す。
【図９ｃ】図９ｃは、図９ｂに示す実施形態の側断面図である。図９ｃは、図９ｂに示す実施形態に対応する清掃ヘッドを備えた伸縮管の側面図を示す。
【発明を実施するための形態】
【００５０】
ここで、本発明の空調フィルタ清掃装置の実施形態について、図を参照しながら説明する。
【００５１】
フィルタ清掃装置の第１の実施形態が図１〜３に示されている。フィルタ清掃装置１は、エアフィルタ３用のハウジングの前面に取り付けられる中心が中空の枠を形成する前面フェイシア７を有し、その結果、フェイシア７の中空の中心部の外縁が、エアフィルタ３の外縁とほぼ整合して、エアフィルタ３を取り囲む。この特徴は、エアフィルタ清掃装置１を既存の空調ユニットに後付けできるようにする。
【００５２】
ブラシ２は、前面フェイシア７の（エアフィルタ３から離れた）前側または外側に接続される。ブラシ２は、エアフィルタ３の開口部の全幅または全高を横切って通過するように寸法決めされかつ位置合わせされる。ブラシ２は、ブラシ２用のハウジングを形成する真空体８を介して前面フェイシア７に接続される。真空体８のハウジングは、真空体８が前面フェイシア７の全幅にわたって矢印方向Ａ−Ａ’に左右に移動できるように、ブラシ２を前面フェイシア７に接続する。
【００５３】
こうした真空体８の横方向への移動は、図３に示すようにフィルタ３が徹底的にブラッシングされて塵や埃がフィルタ３から除去されることを確実にする。ブラシ２は、埃が除去されることを確実にするためにフィルタ３の表面近傍に保持される。このことは、駆動手段４と、真空体８およびハウジングを支持するとともにフィルタ３にごく近接して真空体８およびハウジングを保持するレール（図示せず）などの、取付手段とによって実現される。
【００５４】
最適な間隔を実現する目的でブラシ２とフィルタ３の前面との間の隙間を調節できるようにするために、調節手段（図示せず）が任意選択的に設けられる。それは、ブラシ２の自由な移動を許容するためにブラシ２とフィルタ３とが十分に離間するが、ブラシ２が前後方向に移動するときにフィルタ３の表面領域全体に接触することを確実にするためにブラシ２とフィルタ３とが十分に近接するようにするためである。
【００５５】
真空体８に取り付けられたモータ４により真空体８の移動が駆動される。ブラシ２は、直線縁部を有し得るが、ブラシ２がフィルタ３を横切って通過するときに回転するタイプであることが好ましい。この回転運動を、ブラシ２の一方側から他方側への運動（左側から右側、右側から左側への）運動に加えて、駆動するように、モータ４駆動装置を配設してもよい。ブラシ２は、理想的には、回転軸線を形成する駆動シャフト（図示せず）に真空体８内において取り付けられ、かつフィルタ３から除去された塵や埃を受け入れるために真空体８に接続された可撓性で軽量のホースまたは導管５を有する。
【００５６】
図３ａ、図３ｂおよび図３ｃを参照するに、導管５は真空体８に接続する。導管５の一方の端部は、真空体８に内側の上部において接続する。導管５の他方の端部または外側端部は、真空が導管を通して真空体８にもたらされ、かつブラシがフィルタ３の上を通過するときに真空がブラシ２の剛毛に及ぶように引かれるように、通常はより大きな導管またはネットワーク６０（図６ａおよび図７ａ）を介して、使用時に真空源（図示せず）に接続される。したがって、フィルタ３から動かされた埃が、真空により真空体８を通して導管５内に導管５に沿って引き込まれる。
【００５７】
図３ａ、図３ｂおよび図３ｃで分かるように、導管５は、弾性的に伸長可能であり、真空体８がフィルタ３を左右に横切って移動するときに伸縮する。導管５がブラシ２の移動方向に位置合わせされることが最も好ましい。導管５は、ブラシ２が矢印方向に移動するにつれて伸長する。このことは、導管５がフィルタ３を横切って伸長して垂れ下がらないまたは空気経路内に移動しない（さもなければ、導管５が使用時にフィルタ３を遮る可能性がある）ことを確実にするのに役立つ。
【００５８】
ブラシ２から離れた所にある、導管の外端部（図示せず）は、吸引ホースまたは外部導管６に接続されるように構成され、この吸引ホースまたは外部導管６は、使用時に、真空を供給する遠隔のポンプ、ファン、送風機または排気装置への通路を提供する。そして、吸引ホース６は、各フィルタ３からの埃が廃棄のために捕集される場所から主要な捕集容器（図示せず）につながっている。
【００５９】
空調フィルタ清掃装置を、建設時に装着することができ、または既存のシステムに後付けすることができる。空調システムは、複数の管と、関連するフィルタとを備える。これらの各々には、フィルタ清掃装置１が装着され、フィルタ清掃装置１が吸引ホース６を介して流体接続され、中央真空システムがフィルタ清掃装置１に吸引力をもたらす。複数の電磁弁（図示せず）は、ホース６内に位置し、かつフィルタ清掃装置の１つまたは複数に吸引力を誘導するためにホース内の通路を開閉するように選択的に作動させる。このことは、必要な力で真空を誘導するのに役立つように、エアフィルタ清掃装置を選択的にまたは順次作動させることを可能にする。フィルタ３から除去された埃は、廃棄のために中央捕集ユニットに導かれる。この中央捕集箇所は、ＨＥＰＡ濾過を含むことができる。
【００６０】
空調フィルタ清掃装置の代替的な実施形態が図４ａおよび図４ｂに示されている。この実施形態において、前面フェイシア７ｂは、オフィスまたは部屋内に埃が落下するのを防ぐ目的で作動時または清掃中に空気流がフィルタを通るのを防止するためにフィルタを横切って閉鎖するように構成された関連するフィルタ閉鎖用シャッターアレイ１０を有する。シャッターアレイは、空調の通常運転のために使用時には開放している。
【００６１】
振動機構は前面フェイシア７に接続され、振動機構は、モータまたは同様のものにより駆動されるように、かつフィルタハウジングひいてはフィルタを振動させるためにこれらに対して前面フェイシア内で偏心回転するように構成された、カム１１を備える。図２に示す前面フェイシアは、導管を通して吸引力をもたらし、カムの回転により引き起こされる振動により振り落とされる埃を除去するために、吸引ホース６などの真空源への接続のための開口を側部に有する。
【００６２】
図５、図６、図７および図８を参照すると、建物（図８）内において１階および２階に設置されるシステムが示されている。空調ユニット５５、管６０およびエアフィルタ清掃装置６５の概略図が、図６ａおよび図７ａに描かれている。これらは、図６ｂおよび図７ｂにそれぞれ示す、１階および２階に設置された空調フィルタ清掃装置である。下降管（図示せず）は、各階における導管を相互に接続するとともに、主要なファンに、または部分真空を形成するために空気を引き込む送風機（図示せず）に接続し、その結果として、埃や塵が導管ネットワークに沿って引き込まれる。
【００６３】
好適なポート（図示せず）を建物内のオフィスまたは廊下に設けてもよい。これらポートは、清掃作業員が専用のプラグまたはホースを導管６１の端部におけるポートまたは接続箇所（図示せず）に挿入することを許容する分岐導管６１を閉鎖する役割を果たす。この特徴は、清掃用アタッチメントまたは真空清掃装置ヘッドを、部分真空下にある、主要なネットワーク６０に接続できるようにし、それにより、オフィスおよび廊下の局所的な清掃を実施できるようにする。この特徴の利点は、高価でありまたは重量がありまたは取り扱いが難いものであり得る高価な真空清掃装置を店舗やオフィスが必要としないことである。このシステムの特徴は、清掃者が、比較的軽量の手持ちできる清掃用アタッチメント（図示せず）を運搬しさえすればよいことである。
【００６４】
ここで図９ａ、図９ｂおよび図９ｃを参照すると、エアフィルタ清掃システムの２つの更なる実施形態が示されている。図９ａおよび図９ｂに示すエアフィルタ清掃装置１００は、ねじ付きレールまたはガイド１０４に取り付けられ、かつ主要なファンまたはポンプ（図示せず）からの空気供給の制御下で前後方向に平行移動し、かつ清掃ヘッド１０２を矢印Ａ−Ａ’方向に引っ張る働きをする清掃ヘッド１０２を含む。図９ｂの概略図は、図９ａに示す配置の側面図を図示しており、かつモータ駆動装置１２０および電磁弁１２２を詳細に示している。
【００６５】
ねじ付き駆動装置１２４は、伸縮式真空管１２６によって真空供給源に接続される清掃ヘッド１０２を支持する。清掃ヘッド１０２は、エアフィルタ１３２の前面パネル１３０を横断する。清掃ヘッド１２８上のブラシ１３４は、エアフィルタ１３２の前面パネルから繊維屑および埃を除去する働きをする。図９ａから明らかであるように、ブラシ１３４の右側のフィルタ領域は、ブラシ１３４の左側のエアフィルタの被清掃部分よりも埃で黒くなっている。
【００６６】
図９ｂに示す実施形態は、例えばより大きな建物内における、円形配管用に使用される代替的な清掃システムの平面図である。図９ａ、図９ｂおよび図９ｃにおいて、類似の部品には同じ参照符号が付されている。配管を通る空気流の方向は、フィルタ３を通ってブラシを通過する方向である。モータ１２０および真空配管は、図９ｂの向きで示すように例えば上下方向位置に相対的に静止したままである。図９ｂに示す円形フィルタパネルは、モータ駆動装置２０２におけるギヤに係合する歯付き外周部を有する。ブラシがエアフィルタの表面から塵および埃を除去するように、モータが回転してガイド内のフィルタを回転させる。エアフィルタの進行方向は、時計回りの矢印Ｂで示されている。
【００６７】
本発明は単に例として説明されており、本発明の範囲から逸脱することなく上述の実施形態に変更を加え得ることが認識されるであろう。まず、任意の特定の実施形態との関連で説明される任意の特徴を他の実施形態と組み合わせて提示し得ることが理解されるであろう。
【００６８】
代替的な実施形態において、導管は、エアフィルタ清掃装置と、ホースを受け入れるための、理想的には壁にある、ソケット、ホース接続箇所または出口ポートとの間に設置される。理想的には、ソケットまたは出口ポートは、通常営業時間中または通常営業時間外のアクセスのために従来の位置におよび従来の高さに、例えば、オフィスドアの外側にまたは廊下にまたは清掃装置がアクセスできる従来の位置に、位置決めされる。ソケットが例えば廊下の床に対して比較的高い所に配置される場合には、ソケットから空調フィルタ清掃装置までを通過するのに比較的短い導管の長さがあれば十分である。
【００６９】
スイッチはまた、理想的には、ソケット、またはホース接続箇所（図示せず）に位置し、かつ例えば手動でまたはホースの挿入時にスイッチを作動させると、フィルタ清掃サイクルを開始するためにモータ１０２のスイッチをオンに切り替え、ソケットまたは出口ポートを介して埃を取り出すことができるようにする。従来の真空清掃での局所捕集を行ってもよい。スイッチを、理想的には、好適なホースの挿入時に、またはフィルタを横切るように清掃ヘッドを起動させる別個の係合手段によって作動させる。
【００７０】
代替的な実施形態の利点は、清掃装置によりフィルタを局所的に清掃できるようにしかつ導管を設置するコストを回避するので、高く評価される。任意選択的に、プラグには、フィルタを作動させるために、かつ弁であって、それを通して埃が取り除かれ得る弁を開放するために、プラグがホースのみを受け入れることができるように好適なカバーが装着される。
【００７１】
本明細書に関して、大きさ、材料、形状、形態、機能、ならびに動作、組み立ておよび使用の手法における変更を含む、本発明の部品に関する最適な寸法関係が、当業者には容易に明らかになると考えられることが理解されるべきである。例えば、エアフィルタ清掃装置を、建物内、車両内、船舶もしくは大型船内、または航空機内の空調装置に対して使用してもよい。
【００７２】
特許請求の範囲により定められる本発明の範囲から逸脱することなく、前述の実施形態に対する変更を加え得る。
【図１】
2017524119.tif 000003
【図２】
2017524119.tif 000004
【図３ａ】
2017524119.tif 000005
【図３ｂ】
2017524119.tif 000006
【図３ｃ】
2017524119.tif 000007
【図４ａ】
2017524119.tif 000008
【図４ｂ】
2017524119.tif 000009
【図５】
2017524119.tif 000010
【図６ａ】
2017524119.tif 000011
【図６ｂ】
2017524119.tif 000012
【図７ａ】
2017524119.tif 000013
【図７ｂ】
2017524119.tif 000014
【図８】
2017524119.tif 000015
【図９ａ】
2017524119.tif 000016
【図９ｂ】
2017524119.tif 000017
【図９ｃ】
2017524119.tif 000018
【国際調査報告】
2017524119.tif 000019
2017524119.tif 000020
2017524119.tif 000021
2017524119.tif 000022